(57)【要約】【課題】人体検知センサの検知結果に応じて機器の駆動、駆動停止の制御を行うことにより、無線増設親機の電力消費を抑制し、それによって、呼出待機時間を従来より長く得ることが可能な無線対応型インターホンシステムを提供する。【解決手段】無線アダプタ３は、ドアホン子器１とは直接接続されずに、親機２に有線接続され、無線増設親機４は、人体検知センサ４Ａと、無線通信部４１と、無線通信制御手段４０Ａとを備えており、無線通信制御手段４０Ａは、人体検知センサ４Ａの検知信号を判別して、人体不在と判断したときには、無線通信部４１を駆動させず、人体存在と判断したときには、無線通信部４１の駆動を開始するようにしている。【選択図】図１
2006270853.tif 000002
【特許請求の範囲】
【請求項１】
ドアホン子器とインターホン親機とを信号線で接続し、更に該インターホン親機に無線通信部を有した無線アダプタを接続して、無線増設親機を付加して構成された、無線対応型インターホンシステムであって、
上記無線アダプタは、上記ドアホン子器とは直接接続されずに、上記親機に有線接続され、
上記無線増設親機は、人体検知センサと、無線通信部と、無線通信制御手段とを備えており、
上記無線通信制御手段は、上記人体検知センサの検知信号を判別して、人体不在と判断したときには、上記無線増設親機の無線通信部を駆動させず、人体存在と判断したときには、上記無線増設親機の無線通信部の駆動を開始するようにしている無線対応型インターホンシステム。
【請求項２】
ドアホン子器とインターホン親機とを信号線で接続し、更に該インターホン親機に無線アダプタを接続して、無線増設親機を付加して構成された、無線対応型インターホンシステムであって、
上記無線アダプタは、上記ドアホン子器とは接続せずに、上記親機に有線接続され、かつ、上記無線アダプタは、無線通信部と、無線アダプタ通信制御手段とを備えるとともに、上記無線増設親機は、第１の無線通信部と、それよりも消費電力の少ない間欠通信のための第２の無線通信部と、人体検知センサと、無線増設親機通信制御手段とを備えており、
上記無線増設親機通信制御手段は、上記人体検知センサの検知信号を判別して、人不在と判断したときには、上記第１、第２の無線通信部を駆動せず、人存在と判断したときには、上記第２の無線通信部のみの駆動を開始し、その後は、上記無線アダプタから上記親機からの呼出信号に基づく通話呼出信号を受けるまでの期間は、上記第２の無線通信部のみの駆動を保持して、上記無線アダプタとの間で間欠通信を行なう一方、更に、その状態で上記無線アダプタから上記通話呼出信号を受けた後は、上記第２の無線通信部の駆動を停止し、上記第１の無線通信部の駆動を開始することで、上記無線アダプタとの間で、上記無線増設親機が上記親機を通じて上記ドアホン子器、または上記親機との間での通話を可能とする構成とされている、無線対応型インターホンシステム。
【発明の詳細な説明】
【技術分野】
【０００１】
本発明は、ドアホン子器とインターホン親機とを信号線で接続し、更に該インターホン親機に無線アダプタを接続して、無線増設親機を付加して構成された、無線対応型インターホンシステムの改良に関する。
【背景技術】
【０００２】
この種の無線対応型インターホンシステムは、一戸建住宅などで使用されている。
下記特許文献１は、この種の無線対応型インターホンシステムを開示しており、カメラ付ドアホン子器を２線式信号線で接続したテレビインターホン親機と、このテレビインターホン親機に有線接続された無線アダプタと、この無線アダプタとの間で無線信号の送受をすることにより、テレビインターホン親機との間で信号送受を行う無線増設親機とで構成されている。
この種のシステムでは、テレビインターホン親機がカメラ付ドアホン子器より呼出を受けた際には、無線アダプタに対して呼出信号を送出し、これを受けた無線アダプタが呼出信号を無線信号として無線増設親機に送出することによって、無線増設親機の傍の人が呼出に応える操作を入力すればテレビインターホンの無線増設親機でも呼出音出力と、来客映像表示とを行わせるようにしている。
【０００３】
ところで、このようなシステムにおいて、無線増設親機は、呼出待機時においても、無線アダプタとの間で無線通信を行っている。
すなわち、呼出待機時においては、無線アダプタから間欠的に確認要求信号を送出し、これに対する返信信号が無線増設親機からあれば、無線アダプタは、無線増設親機との間で必要な信号の送受を行って通信条件を確立しており、これにより、無線アダプタは、テレビインターホン親機から呼出信号を受信したときには、即座に無線増設親機に呼出信号を送出できるようにしている。
しかしながら、上記構成によれば、無線増設親機は、一般に乾電池等を電源として駆動されるため、呼出待機時における無線通信でも電力を消費してしまい、十分な長さの呼出待機時間が得られないという問題があった。
【０００４】
一方、特許文献２には、送信ユニットと受信ユニットとテレビ受像機とからなるインターホン表示装置において、送信ユニットには、玄関先等を撮るカメラと、玄関先等に人間が立ったか否かを検出する感知部（人体検知センサ）とを備えており、この感知部が人間を感知するとそれを知らせる検知信号と前記カメラからの映像信号とを受信ユニットへ送信し、テレビ受像機の電源がオフの場合はオンにするものが開示されている。
この種のシステムでは、従来より人体検知センサは専ら玄関先等の人の在、不在を検知するものにすぎないものであった。
【特許文献１】特開２０００−２２４３１６公報
【特許文献２】特開平７−９５５５９公報
【発明の開示】
【発明が解決しようとする課題】
【０００５】
本発明は、上記事情に鑑みなされたものであり、人体検知センサの検知に応じて機器の駆動、駆動停止の制御を行うことにより、無線増設親機の電力消費を抑制し、それによって、呼出待機時間を従来より長く得ることが可能な無線対応型インターホンシステムを提供することを第１の目的とするものである。
【０００６】
また無線対応型インターホンシステムでは、上記のように、呼出待機時においても無線アダプタ、インターホン無線増設親機間で間欠通信を行うものであるが、インターホン無線増設親機の周辺に人がいない場合には、インターホン無線増設親機で呼出に応答する可能性は低く、そのため、呼出待機時に間欠通信を行う必要性は低い。
そこで本発明は、そのような無線増設親機周辺の人の在、不在を、人体検知センサにより判断させようとするものである。
人体検知センサを利用して無線増設親機の消費電力を抑制することによって、無線増設親機において、間欠通信をより低電力で行うようにすることを、第２の目的とする。
【課題を解決するための手段】
【０００７】
上記第１、第２の目的を達成するために、第１、第２の本発明は、ドアホン子器とインターホン親機とを信号線で接続し、更に該インターホン親機に無線通信部を有した無線アダプタを接続して、無線増設親機を付加して構成された、無線対応型インターホンシステムであって、次のような特徴を有している。
すなわち、第１の本発明である請求項１に記載の無線対応型インターホンシステムでは、無線アダプタは、ドアホン子器とは直接接続されずに、インターホン親機に有線接続され、無線増設親機は、人体検知センサと、無線通信部と、無線通信制御手段とを備えており、無線通信制御手段は、人体検知センサの検知信号を判別して、人体不在と判断したときには、上記無線通信部を駆動させず、人体存在と判断したときには、無線通信部の駆動を開始するようにしている。
【０００８】
第２の本発明である請求項２では、無線アダプタは、ドアホン子器とは接続せずに、親機に有線接続され、かつ、無線アダプタは、無線通信部と、無線アダプタ通信制御手段とを備えるとともに、無線増設親機は、第１の無線通信部と、それよりも消費電力の少ない間欠通信のための第２の無線通信部と、人体検知センサと、無線増設親機通信制御手段とを備えている。また無線増設親機通信制御手段は、人体検知センサの検知信号を判別して、人体不在と判断したときには、第１、第２の無線通信部を駆動せず、人体存在と判断したときには、第２の無線通信部のみの駆動を開始し、その後は、無線アダプタから上記親機からの呼出信号に基づく通話呼出信号を受けるまでの期間は、第２の無線通信部のみの駆動を保持して、無線アダプタとの間で間欠通信を行う一方、更に、その状態で無線アダプタから通話呼出信号を受けた後は、第２の無線通信部の駆動を停止し、第１の無線通信部の駆動を開始することで、無線アダプタとの間で、無線増設親機が親機を通じてドアホン子器、またはインターホン親機との間での通話を可能にする通信処理を実行する構成としている。
【発明の効果】
【０００９】
第１の本発明によれば、無線増設親機に人体検知センサを設け、人体検知センサの検知信号を判別して、無線増設機に設けた無線通信部の駆動、駆動停止を行うようにしているので、人体不在と判断したときには、無線通信部の駆動を停止させて間欠通信や呼出による無線通信を行わない構成とする一方、人体の存在を検知したときは、これをトリガとして、無線通信部の駆動を開始させるようにしているので、無線増設親機の電力消費を抑制させることができる。よって、無線増設親機の呼出待機時間を従来より長くすることができる。
【００１０】
また、第２の本発明である請求項２では、第１の発明の効果に加えて、無線アダプタ、無線増設親機の双方が第１の無線通信部と、それよりも消費電力の少ない間欠通信のための第２の無線通信部とを備えているため、無線増設親機の電力消費をより一層抑えることができる。
【発明を実施するための最良の形態】
【００１１】
以下に、本発明の実施の形態について説明する。なお、本実施の形態においては、無線対応型テレビインターホンシステムに適用した例を示している。
【実施例１】
【００１２】
図１は、第１の本発明システムの基本構成の一例を模式的に示す図である。
第１の本発明システムは、テレビインターホン親機２と、テレビインターホン親機２に有線接続されたカメラ付きドアホン子器１と、無線アダプタ３と、前記無線アダプタ３と無線通信を行う無線増設親機４とで構成されている。
ここで、無線アダプタ３は、カメラ付ドアホン子器１とは直接接続されず、テレビインターホン親機２と信号線Ｌで直接接続されている。
信号線Ｌは、２線式平衡ケーブルなどで構成されており、音声信号、映像信号、呼出信号を含むシステム制御信号などが周波数多重方式で重畳されたものが伝送される。
【００１３】
第１の本発明では、無線アダプタ３、無線増設親機４のそれぞれは、無線通信制御を行う通信制御手段３０Ａ、４０Ａと、制御信号、音声信号、映像信号の無線通信を行うための無線通信部３１、４１とを備えている。
また、無線増設親機４は、人体を検知する人体検知センサ４Ａを設け、後述するように、これにより検知された検知信号により人体の在、不在を判断し無線通信部４１の駆動と駆動停止を切り換えている。つまり、無線増設親機４の周囲に人が存在しない場合には無線増設親機４を利用する可能性が低いと判断し、無線通信を不能にしている。
なお、図中人体検知センサ４Ａは無線増設親機４に内臓されているが、外部コネクタを設け、外付けする構成でもよい。
【００１４】
次に、カメラ付ドアホン子器１からの呼出動作について説明する。
カメラ付ドアホン子器１で呼出があれば、信号線Ｌの電圧値が変動するので、この変動をテレビインターホン親機２が検知し、呼出を受けたことを認識する。すると、テレビインターホン親機２は呼出音出力などの呼出動作をするとともに、呼出信号を無線アダプタ３に送出する。無線アダプタ３は、呼出信号を受けると、その呼出信号を無線信号の形式で通話呼出信号として、無線増設親機４に向けて送出する。なお、本発明では、このとき無線アダプタ３から無線増設親機４へ、無線信号形式で送出される呼出信号を通話呼出信号と呼び、テレビインターホン親機２が発する呼出信号と区別している。
【００１５】
呼出動作をしているテレビインターホン親機２で応答があれば、カメラ付ドアホン子器１との間で通話路が形成され通話可能となり、また通話呼出信号を受けた無線増設親機４も、呼出動作を行って住人を呼び出し、応答があれば、無線増設親機４とカメラ付ドアホン子器１とで通話路が形成され、通話可能となるが、テレビインターホン親機２、無線増設親機４で呼出動作がなされると、これらのうちの最初に応答したものと、カメラ付ドアホン子器１との間で通話路が形成される。
【００１６】
また、カメラ付ドアホン子器１の呼出待機時においては、無線アダプタ３と無線増設親機４との間で無線信号の間欠送受を行って、無線アダプタ３と無線増設親機４との無線通信条件を維持している。
無線アダプタ３、無線増設親機４は、それぞれ上記の１つの無線通信部３１、４１を有した構成によって、呼出による無線通信と呼出待機時の間欠通信の両方が実行される。
【００１７】
図２は、第１の本発明システムの基本構成の一例を示すブロック図である。
カメラ付ドアホン子器１は、信号処理部１０、スピーカＳＰに出力される音声信号のレベルを増幅するスピーカアンプＡ１、マイクＭＩＣより入力された音声信号のレベルを増幅するマイクアンプＡ２、カメラ１１、呼出釦１２を備えている。
テレビインターホン親機２は、信号処理部２０、スピーカＳＰに出力される音声信号のレベルを増幅するスピーカアンプＡ１、マイクＭＩＣを通じて入力された音声信号のレベルを増幅するマイクアンプＡ２、モニタ２１、操作釦２２を備えている。
無線アダプタ３は、無線アダプタ通信制御手段３０Ａを有する信号処理部３０、アンテナＡＮＴ１を有する無線通信部３１を備えている。
【００１８】
無線通信部３１は、無線増設親機４との間で、音声信号、映像信号の送受を行って、無線増設親機４とカメラ付ドアホン子器１との通話を可能にするとともに、テレビインターホン親機１からの呼出信号の受信を待機する呼出待機時においては、無線増設親機４に対して、間欠的に確認要求信号を送出し、これに対する確認返信信号を受信する。
【００１９】
無線アダプタ通信制御手段３０Ａは、呼出待機時には、無線通信部３１より、無線増設親機４に間欠的に確認要求信号を送出し、確認返信信号を受信すれば、無線増設親機４がスタンバイ状態にあることを判別し、その状態で、テレビインターホン親機２から呼出信号を受信したときには、無線通信部３１より通話呼出信号を送出し、少なくとも、通話に必要な信号の送受を開始する。
【００２０】
無線増設親機４は、無線増設親機通信制御手段４０Ａを有する信号処理部４０、アンテナＡＮＴ１を有する無線通信部４１、人体検知センサ４Ａ、スピーカＳＰに出力される音声信号のレベルを増幅するスピーカアンプＡ１、マイクＭＩＣより入力された音声信号のレベルを増幅するマイクアンプＡ２、モニタ４３、操作釦４４を備えている。
【００２１】
無線通信部４１は、無線アダプタ３との間で、音声信号、音声信号の送受を行って、無線増設親機４とカメラ付ドアホン子器１との通話を可能にするとともに、無線アダプタ３からの通話呼出信号の受信を待機する呼出待機時において、無線増設親機４から間欠的に送出される確認要求信号を受信し、これに対して返信信号を送出する。
【００２２】
無線増設親機通信制御手段４０Ａは、呼出待機時には、無線アダプタ３から間欠的に送出される確認要求信号を受信する毎に、確認返信信号を送出する。そして、無線増設親機通信制御手段４０Ａは、無線アダプタ３から通話呼出信号を受信すると、少なくとも、通話に必要な信号の送受を開始する。
【００２３】
第１の本発明では、無線増設親機４に設けた人体検知センサ４Ａにより人体の存在を判別し、不在と判断したときには、無線通信部４１の駆動を停止させて無線通信不能な状態を維持するようにしている。
すなわち、無線増設親機４の周辺に人が不在の状態においては、無線増設親機４を用いて来客等の応対を行うことはないとして、呼出による無線通信は不能となるだけでなく、呼出待機時の間欠通信も行わないため、無駄な間欠通信が停止され、消費電力を抑えることができる。
【００２４】
次に、第１の本発明システムにおける、無線アダプタ３と無線増設親機４のそれぞれの基本動作について説明する。
図３、図４はそれぞれ、無線アダプタ３、無線増設親機４の基本動作を示したフローチャートである。
【００２５】
図３に示すように、無線アダプタ３は、電源投入がされると、無線通信部３１を駆動して、呼出待機の状態となる。すなわち、テレビインターホン親機２から呼出信号を受信しない間は、無線増設親機４と、無線通信条件を確立させるための間欠通信を行い、無線増設親機４から確認返信信号を受けると返信フラグをセットし、確認返信信号を受信しないあいだはフラグをリセットしておく（１００〜１０４）。
そして、呼出待機の状態において、テレビインターホン親機２から呼出信号を受信したときには、返信フラグを参照し、返信フラグがセットされていなければ、テレビインターホン親機２に対して、無線増設親機４が不在の旨を返信する（１０２、１０５、１０６）。
【００２６】
一方、テレビインターホン親機２から呼出信号を受信したときに、返信フラグがセットされていれば、通話呼出信号を送出した後、テレビインターホン親機２からデータが送信されてくるのを一定時間待ち、その間に無線増設親機４が音声や映像を受信できる状態にあることを確認したうえで、一定時間内にテレビインターホン親機２から映像信号や音声信号を受信すると、無線増設親機４とで無線通信部３１を介した信号の相互通信を行い、無線増設親機４とカメラ付ドアホン子器１とで通話が開始され、通話が終了すれば、ステップ１０２の呼出待機状態に戻る（１０２、１０５、１０７〜１１０）。
また、一定時間内に映像信号や音声信号を受信しなかった場合には、ステップ１０２の呼出待機状態に戻る（１０８、１１１）。
【００２７】
一方、図４に示すように、無線増設親機４の電源が投入されると、電池から電力を供給し、人体検知センサ４Ａを駆動することにより、人体検知センサ４Ａの検知信号を判別して、人体不在と判断した場合は無線通信部４１の駆動を停止させるが（２００〜２０３）、人体検知センサ４Ａは、その後も電源が投入されている間は人体の有無を判断して検知信号を出力する。
そして人体検知センサ４Ａにより人体存在と判断した場合は、無線通信部４１を駆動し、ついで無線アダプタ３から確認要求信号が送信されてくると確認返信信号を送出し、この間欠信号は、通話呼出信号が送信されてくるまで、繰り返す（２０２、２０４〜２０７）。
この間欠通信を繰り返している間でも、人体検知センサ４Ａにより人体の検知がなされない場合は、無線通信部４１の駆動が停止され（２０２、２０３）、無線増設親機４は休眠状態となる。
ところが一方、無線通信部４１が駆動しているときに、無線アダプタ３から通話呼出信号を受けると、呼出音を出力し、それに対する操作による応答を一定時間待ち、応答があれば、無線アダプタ３との間で、無線通信部４１を介した信号の相互通信を行い、無線増設親機４とカメラ付ドアホン子器１とで通話が開始され、通話が終了すれば、ステップ２０２の呼出待機状態に戻る（２０７〜２１１）。
また、一定時間内に映像信号や音声信号を受信しなかった場合には、ステップ２０２の呼出待機状態に戻る（２０９、２１２）。
【００２８】
以上のように、無線増設親機４に人体検知センサ４Ａを設け、そのセンサ４Ａの検知判断により、無線通信部４１の駆動を停止させて、無線増設親機４を休眠状態にしているため、その間は呼出待機時の間欠通信を停止させることができ、その結果、電力消費を抑制することができる。よって、本発明の構成によれば、上述のように電池により電力を供給する場合でも、電池の寿命が延びるので、無線増設親機４の呼出待機時間を従来より長くすることができる。
【００２９】
なお、この人体検知センサ４Ａによる無線コントロールモードの実行をユーザ側で選択設定するためのスイッチを、テレビインターホン親機２や、無線増設親機４に設けてもよい。テレビインターホン親機２にそのようなスイッチを設け、このスイッチを操作して、人体検知センサ４Ａによる無線通信部４１の駆動、駆動停止制御を禁止する設定にすれば、無線増設親機４の電源さえ投入しておれば、無線通信部４１を常時、駆動状態にすることができ、人が不在となることが少ない場合等に、無駄な駆動、駆動停止を繰り返さなくてもすむ。
【実施例２】
【００３０】
図５は、第２の本発明システムの基本構成の一例を模式的に示す図である。
第２の本発明システムは、テレビインターホン親機２と、テレビインターホン親機２に有線接続されたカメラ付ドアホン子器１と、無線アダプタ３と、前記無線アダプタ３と無線通信を行う無線増設親機４とで構成されている。
ここで、無線アダプタ３は、カメラ付ドアホン子器１とは直接接続されず、テレビインターホン親機２と信号線Ｌで直接接続され、このインターホン親機２から電源を供給し駆動している。
信号線Ｌは、２線式平衡ケーブルなどで構成されており、システムの電源をベースにして、音声信号、映像信号、呼出信号を含むシステム制御信号などが周波数多重方式で重畳されたものが伝送される。
【００３１】
第２の本発明では、無線アダプタ３、無線増設親機４のそれぞれは、無線通信制御を行う通信制御手段３０Ａ、４０Ａと、呼出による制御信号、音声信号、映像信号の無線通信を行うための第１の無線通信部３１、４１と、呼出待機時に間欠通信を行うための第２の無線通信部３２、４２とを備えている。
また、無線増設親機４は、人体の在、不在を検知する人体検知センサ４Ａを設け、後述するように、検知結果により第１、第２の無線通信部４１、４２の駆動と駆動停止を切り換えている。つまり、人が不在と判断する場合には無線増設親機４を利用する可能性が低いと判断し、無線通信を不能にしている。なお、図中人体検知センサ４Ａは、無線増設親機４に内蔵されているが、外部コネクタを設け、外付けする構成でもよい。
【００３２】
次に、カメラ付ドアホン子器１からの呼出動作について説明する。
カメラ付ドアホン子器１で呼出があれば、信号線Ｌの電圧値が変動するので、この変動をテレビインターホン親機２が検知し、呼出を受けたことを認識する。すると、テレビインターホン親機２は呼出音出力などの呼出動作をするとともに、呼出信号を無線アダプタ３に送出する。無線アダプタ３は、呼出信号を受けると、第１の無線通信部３１がその呼出信号を無線信号の形式で通話呼出信号として、無線増設親機４に向けて送出する。なお、本発明では、このとき無線アダプタ３から無線増設親機４へ、無線信号形式で送出される呼出信号を通話呼出信号と呼び、テレビインターホン親機２が発する呼出信号と区別している。
【００３３】
呼出動作をしているテレビインターホン親機２で応答があれば、カメラ付ドアホン子器１との間で通話路が形成され通話可能となるが、無線増設親機４は、第１の無線通信部４１で通話呼出信号を受け、呼出動作を行って住人を呼び出し、応答があれば、無線増設親機４とカメラ付ドアホン子器１とで通話路が形成され、通話可能となる。
なお、このようなインターホンシステムでは、テレビインターホン親機２、無線増設親機４で呼出動作がなされると、これらのうちの最初に応答したものと、カメラ付ドアホン子器１との間で通話路が形成される。
【００３４】
また、カメラ付ドアホン子器１の呼出待機時においては、無線アダプタ３と無線増設親機４との間で無線信号の間欠送受を行って、無線アダプタ３と無線増設親機４との無線通信条件を確立している。上述するように、この間欠通信は、第２の無線通信部３２、４２によって行われる。
なお、第２の本発明を構成する各機器の内部構成については、上述した第２の無線通信部３２、４２以外は同一であるため、ブロック図とその説明を省略する。
【００３５】
次に、第２の本発明システムにおける、無線アダプタ３と無線増設親機４のそれぞれの基本動作について説明する。
図６、図７はそれぞれ、無線アダプタ３、無線増設親機４の基本動作を示したフローチャートである。
図６に示すように、無線アダプタ３は、電源投入がされると、テレビインターホン親機２から電力を供給し、無線通信部３２を駆動して、第１の無線通信部３１の駆動を停止させ、第２の無線通信部３２のみを駆動し、呼出待機の状態となる。すなわち、この呼出待機の状態では、テレビインターホン親機２から呼出信号を受信しない間は、無線増設親機４と、第２の無線通信部３２による無線通信を確立させるための間欠通信を行い、無線増設親機４から確認返信信号を受けると返信フラグをセットし、確認返信信号を受信しないうちはリセットしておく（３００〜３０５）。
そして、呼出待機の状態において、テレビインターホン親機２から呼出信号を受信したときには、返信フラグを参照して返信フラグがセットされていなければ、テレビインターホン親機２に対して、無線増設親機４が不在の旨を返信する（３０３、３０６、３０７）。
【００３６】
一方、テレビインターホン親機２から呼出信号を受信したときに、返信フラグがセットされていれば、通話呼出信号を送出した後、無線増設親機４が音声や映像を受信できる状態にあることを確認したうえで、第１の無線通信部３１を駆動し、第２の無線通信部３２の駆動を停止し、テレビインターホン親機２からデータが送信されてくるのを一定時間待ち、一定時間内にテレビインターホン親機２から映像信号や音声信号を受信すると、無線増設親機４とで第１の無線通信部３１を介した信号の相互通信を行い、無線増設親機４とカメラ付ドアホン子器１とで通話が開始され、通話が終了すれば、ステップ１０２の呼出待機状態に戻る（３０３、３０６〜３１３）。
また、一定時間内に映像信号や音声信号を受信しなかった場合には、ステップ３０１の呼出待機状態に戻る（３１１、３１４）。
【００３７】
一方、図７に示すように、無線増設親機４の電源が投入されると、電池等から電力を供給し、人体検知センサ４Ａを駆動することにより、人体検知センサ４Ａの検知信号を判別して、人体不在と判断した場合は、第１、第２の無線通信部４１、４２の駆動を停止させるが（４００〜２０４）、人体検知センサ４Ａは、その後も電源が投入されている間は人体の有無を判別して、検知信号を出力する。
そして、人体検知センサ４Ａにより人体存在と判断した場合は、第１の無線通信部４１の駆動を停止し、第２の無線通信部４１のみを駆動し、ついで無線アダプタ３から確認要求信号が送信されてくると確認返信信号を送出し、この間欠信号は通話呼出信号が送信されてくるまで繰り返す（４０２、４０５〜４０９）。
この間欠通信を繰り返している間でも、人体検知センサ４Ａにより人体の検知がなされないときは、第１、第２の無線通信部４１、４２の駆動は停止され（４０２〜４０４）、無線増設親機４は休眠状態となる。
【００３８】
ところが一方、第２の無線通信部４２が駆動しているときに、無線アダプタ３から通話呼出信号を受けると、第２の無線通信部４２の駆動を停止し、第１の無線通信部４１を駆動させ、呼出音を出力し、それに対する操作による応答を一定時間待ち、応答があれば、無線アダプタ３との間で、無線通信部４１を介した信号の相互通信を行い、無線増設親機４とカメラ付ドアホン子器１とで通話が開始され、通話が終了すれば、ステップ４０２の呼出待機状態に戻る（４０９〜４１５）。
また、一定時間内に映像信号や音声信号を受信しなかった場合には、ステップ４０２の呼出待機状態に戻る（４１３、４１６）。
【００３９】
以上のように、第２の本発明においても、無線増設親機４に人体検知センサ４Ａを設け、そのセンサ４Ａの検知判断により、無線通信部４１の駆動を停止させて、無線増設親機４を休眠状態にしているため、その間は呼出待機時の間欠通信を停止させることができ、その結果、電力消費を抑制することができる。
さらに第２の本発明では、無線アダプタ３、無線増設親機４の双方が第１の無線通信部３１、４１と、それよりも消費電力の少ない間欠通信のための第２の無線通信部３２、４２とを備えているため、間欠通信を行うときの消費電力をより一層低く抑えることができ、省エネ効果を上げることができる。よって、本発明の構成によれば、上述のように電池等により電力を供給する場合でも、電池の寿命が延びるので、無線増設親機４の呼出待機時間を従来より長くすることができる。
【００４０】
なお、実施例１と同様に、この人体検知センサ４Ａによる無線コントロールモードの実行をユーザ側で選択設定するためのスイッチを、テレビインターホン親機２や、無線増設親機４に設けてもよい。テレビインターホン親機２にそのようなスイッチを設け、このスイッチを操作して、人体検知センサ４Ａによる無線通信部４１の駆動、駆動停止制御を禁止する設定にすれば、無線増設親機４の電源さえ投入しておれば、無線通信部４１を常時、駆動状態にすることができ、人が不在となることが少ない場合等に、無駄な駆動、駆動停止を繰り返さなくてもすむ。
【図面の簡単な説明】
【００４１】
【図１】第１の本発明システムの基本構成の一例を模式的に示す図である。
【図２】第１の本発明システムの基本構成の一例を示すブロック図である。
【図３】第１の本発明における無線アダプタの基本動作の一例を示すフローチャートである。
【図４】第１の本発明における無線増設親機の基本動作の一例を示すフローチャートである。
【図５】第２の本発明システムの基本構成の一例を模式的に示す図である。
【図６】第２の本発明における無線アダプタの基本動作の一例を示すフローチャートである。
【図７】第２の本発明における無線増設親機の基本動作の一例を示すフローチャートである。
【符号の説明】
【００４２】
１      （カメラ付）ドアホン子器
２      テレビインターホン親機
３      無線アダプタ
３０Ａ  無線アダプタ通信制御手段
３１    第１の無線通信部
３２    第２の無線通信部
４      無線増設親機
４０Ａ  通信制御手段
４１    第１の無線通信部
４２    第２の無線通信部
４Ａ    人体検知センサ
Ｌ      信号線
【図１】
2006270853.tif 000003
【図２】
2006270853.tif 000004
【図３】
2006270853.tif 000005
【図４】
2006270853.tif 000006
【図５】
2006270853.tif 000007
【図６】
2006270853.tif 000008
【図７】
2006270853.tif 000009